(57)【要約】本発明は制御コンピューターを用いたキーとデジタルロックの管理システムに関するものである。このために本発明は、多数のデジタルロックと多数のキーが使用される場所で、デジタルロックとキーとの間の認証構造を設定して管理し、イベント発生による認証構造の変更を簡素化するためのキーとデジタルロック管理システムにおいて、多数のデジタルロックと多数のキーとの間に認証構造を設定するソフトウェアを搭載した制御コンピューター；制御コンピューターによって設定された認証構造を貯蔵してデジタルロックに伝達する媒介体デバイス；及び、制御コンピューターと連結され、制御コンピューターから設定された認証構造を媒介体デバイスに伝達するコンピューター接続装置を備えることを特徴とする制御コンピューターを用いたキーとデジタルロック管理システムを提供する。本発明によると、多数のデジタルロックと多数のキーが使用される所で容易に認証設定を変更することができ、イベント発生による素早い措置が可能であって、デジタルロックとキーに認証情報を貯蔵し、制御コンピューターを通じて出入者情報を確認、及び管理することにより保安性を向上させることができる。【特許請求の範囲】
【請求項１】
多数のデジタルロックと多数のキーが使用される場所で、上記デジタルロックと上記キーとの間の認証構造を設定して管理し、イベント発生による上記認証構造の変更を簡素化するためのキーとデジタルロック管理システムにおいて、
上記多数のデジタルロックと上記多数のキーとの間に認証構造を設定するソフトウェアを搭載した制御コンピューター；
上記制御コンピューターによって設定された上記認証構造を貯蔵して、上記デジタルロックに伝達する媒介体デバイス；及び、
上記制御コンピューターと連結され、上記制御コンピューターから設定された上記認証構造を受信して上記媒介体デバイスに伝達するコンピューター接続装置を備えることを特徴とする制御コンピューターを用いたキーとデジタルロック管理システム。
【請求項２】
上記媒介体デバイスは、
上記キーと同一の形態で構成され、上記コンピューター接続装置に連結されて上記認証構造を受信するデータ送受信部；及び、
上記データ送受信部を通じて受信した認証構造を貯蔵するデータ貯蔵部を備えることを特徴とする請求項1に記載の制御コンピューターを用いたキーとデジタルロック管理システム。
【請求項３】
上記キーは、
上記制御コンピューターを通じて設定された上記認証構造を、上記コンピューター接続装置を通じて受信し貯蔵することを特徴とする請求項1に記載の制御コンピューターを用いたキーとデジタルロック管理システム。
【請求項４】
上記多数のデジタルロックと上記多数のキーとの間の上記認証構造は、上記多数のデジタルロックで各々のデジタルロックを解錠するキーを設定するものであって、上記多数のデジタルロックと上記多数のキーを一対一、一対多、多対一の認証構造でマッピング(Mapping)することを特徴とする請求項1に記載の制御コンピューターを用いたキーとデジタルロック管理システム。
【請求項５】
上記キーとデジタルロック管理システムは、
上記デジタルロックに認証を要請したキーの情報、上記認証の成否、上記デジタルロックの出入に使用された上記キーの情報、出入日、及び時間のいずれか１つ以上を含む出入情報を上記デジタルロックの内部メモリに貯蔵し、上記制御コンピューターで、上記媒介体デバイス、及び上記コンピューター接続装置を通じて上記出入情報を受信し確認、及び管理することを特徴とする請求項1に記載の制御コンピューターを用いたキーとデジタルロック管理システム。
【請求項６】
上記キーとデジタルロック管理システムは、
上記キーが認証を要請した上記デジタルロックの情報、上記認証要請に対する承認の可否、承認日、及び時間のいずれか１つ以上を含む出入情報を上記キーの内部メモリに貯蔵し、上記制御コンピューターで、上記コンピューター接続装置を通じて上記出入情報を確認、及び管理することを特徴とする請求項1に記載の制御コンピューターを用いたキーとデジタルロック管理システム。
【発明の詳細な説明】
【技術分野】
【０００１】
本発明は、制御コンピューターを用いたキーとデジタルロックの管理システムに関するものである。更に詳しくは、制御コンピューターに搭載されたソフトウェアを用いてキーとデジタルロックの認証構造を設定し、設定された認証構造による認証情報を各キーとデジタルロックに入力して、各デジタルロックにおいて認証設定されたキーだけ作動するように管理する、制御コンピューターを用いたキーとデジタルロックの管理システムに関するものである。
【背景技術】
【０００２】
従来は、事務室、ホテルの客室、アパート、金庫などの開閉装置としては、金属鍵の挿入を用いてドアを開閉する機械式ドアロックが主に作用された。しかし、従来の機械式ドアロックにおいて認証手段として使用される金属鍵は、紛失、及び複製に弱く、保安性が劣る方だった。また、最近、犯罪者の手口が高度化して、機械式ドアロックや機械式金庫の安定が脅かされるようになり、従来の機械式ドアロックが持つ脆弱性を解決するため、認証手段として電子キー(key)を使用し、マイクロプロセッサー(MPU:Microprocessor Unit)をドアロックに搭載して、ドアロックの全般的な解錠及び施錠動作を制御するデジタルロックが開発され、常用化されつつある。
【０００３】
現在、提供されているデジタルロックの認証設定方法、及び解錠方法は、次のようである。まず、デジタルロックを設置し、予め設定された、認証設定のための特定ボタンを入力すると、デジタルロックが認証設定モードに変換される。この際、デジタルロックのキー認証部に、認証のために使用する電子キーを挿入、又は接触すると、デジタルロックでは電子キーの情報を確認し、認証情報として内部メモリに貯蔵する。
【０００４】
認証設定が完了すると、デジタルロックは施錠状態の認証待ち受けモードで動作していて、使用者が電子キーをキー認証部に挿入、または接触させると、挿入、または接触された電子キーの情報を確認し、内部メモリに貯蔵された認証情報と比較して、同一である場合、デジタルロックを解錠する。
【０００５】
このような方式で作動されるデジタルロックは、簡便さと共に、優れた保安性により、徹底的な保安維持が要求される所に設置、運営されている。そして、多数のデジタルロックが設置される場合、使用の便宜、及び携帯性のため、１つのキーで多数のデジタルロックを作動させることができるように設定している。また、各デジタルロックが設置された所には、要求される保安段階に応じて出入可能な使用者を制限し、各々のデジタルロックごとに認証されるキーを各々設定するようにしている。
【０００６】
これにより、各々のデジタルロックに認証可能なキーを設定する過程において、各々のデジタルロックに、認証されるキーの情報を一々入力する過程が要求される。従って、多数のデジタルロックと多数のキーが使用される所では、認証設定だけに多くの時間が所要され、保安段階に応じてデジタルロックごとに認証されるキーを異にして設定するためには、非常に複雑な過程を経ることとなる。
【０００７】
また、現在使用されているデジタルロックにおける認証設定方法としては、当該デジタルロックに認証設定される多数のキーを同時に認証設定するように設定されている。従って、多数のデジタルロックが設置された以後、新たなデジタルロックが追加で設置される場合、認証された全てのキーが備えられた状況でのみ認証設定が可能であるとの問題を有している。
【０００８】
そして、システム運営中、一人の使用者でもキーを紛失した場合には、紛失されたキーによる盗用を防止するため、紛失されたキーが認証設定された全てのデジタルロックの認証を再設定しなければならない。勿論、この際にも、認証再設定されるデジタルロックには、認証ができるように設定された全てのキーが備えられなければならない。
【０００９】
又、使用者の変更、使用者の権利変更、使用者の追加といった身辺情報変更によってデジタルロックで認証情報を追加、変更または削除する場合でも、当該デジタルロックに予め認証設定された全てのキーが備えられた状況でのみ認証設定が可能である。
【００１０】
このような現在の認証設定方法では、多数のデジタルロックと多数のキーが使用されるシステムで身辺情報変更によって各々のデジタルロック認証を再設定しなければならず、このために変更されるデジタルロックに認証設定されたキーを有する全ての使用者が集まらなければならない不便さが生じる。
【００１１】
これにより、多数のデジタルロックと多数のキーが使用される所での認証設定方法、及びキーの紛失、デジタルロックの追加設置、身辺情報変更などに応じて容易に、設定された認証情報を変更させる方法が要求されている。
【発明の開示】
【発明が解決しようとする課題】
【００１２】
このような問題を解決するため、本発明は、制御コンピューターに搭載されたソフトウェアを用いてキーとデジタルロックの認証構造を設定し、設定された認証構造による認証情報を各キーとデジタルロックに入力して、各デジタルロックで認証設定されたキーだけが作動するように管理する、制御コンピューターを用いたキーとデジタルロックの管理システムを提供することを目的としている。
【課題を解決するための手段】
【００１３】
このような目的を達成するため、本発明は、多数のデジタルロックと多数のキーが使用される場所で、デジタルロックとキーとの間の認証構造を設定して管理し、イベント発生による認証構造の変更を簡素化するためのキーとデジタルロック管理システムにおいて、多数のデジタルロックと多数のキーとの間に認証構造を設定するソフトウェアを搭載した制御コンピューター；制御コンピューターによって設定された認証構造を貯蔵してデジタルロックに伝達する媒介体デバイス；及び、制御コンピューターと連結され、制御コンピューターから設定された認証構造を媒介体デバイスに伝達するコンピューター接続装置を備えることを特徴とする制御コンピューターを用いたキーとデジタルロック管理システムを提供する。
【発明を実施するための最良の形態】
【００１４】
以下、本発明の一実施例を添付の図面を用いて詳細に説明する。まず、各図面の構成要素に参照符号を付加することにおいて、同一の構成要素に対しては仮に違う図面上に表示されても、なるべく同一の符号を付する。又、本発明を説明することにおいて、関連した公知構成、又は機能に対する具体的な説明が本発明の要旨を濁すと判断される場合には、その詳細な説明は省略する。
【００１５】
図1乃至図3は、本発明の一実施例による制御コンピューターを用いたキーとデジタルロック管理システムを概略的に示した図である。
【００１６】
本発明によるキーとデジタルロック管理システムは、制御コンピューター110、コンピューター接続装置120、媒介体デバイス130、多数のキー142、144、146、多数のデジタルロック150、162、164を備える。
【００１７】
図1は、制御コンピューターによって設定された認証構造情報を、多数のキー、及び媒介体デバイスに伝送するシステムの図である。
【００１８】
制御コンピューター110は、一般的に使用されるパーソナルコンピューターであって、本発明により多数のデジタルロックと多数のキーとの認証設定のためのソフトウェアが搭載されている。制御コンピューター110は、搭載されたソフトウェアを用いて、各デジタルロック150、162、164、及び各キー142、144、146に別途の識別子を付与する。各デジタルロック150、162、164、及び各キー142、144、146に対し識別子が付与されると、キー及びデジタルロックに対して一対一、一対多、多対一などの多様な認証構造をマッピング(Mapping)し認証構造情報を設定する。このために、制御コンピューター110には、各デジタルロック150、162、164、及び各キー142、144、146の情報が予め登録されていなければならない。
【００１９】
ここで、認証構造情報とは、使用者が多数のデジタルロックと多数のキーとの間に認証構造を設定したデータのことである。即ち、各々のデジタルロックには、挿入、または接触を通じて解錠を行うキーが1つ、または多数設定され、これを認証構造という。又、認証構造には、別途の時間情報を通じて、キーやデジタルロックの認証有効期間、特定曜日や一日中の特定の時間帯にのみ認証されるなどの認証方式を細分化する内容も含まれる。このようなキーとデジタルロック管理システムの全てのデジタルロックが各々設定した認証情報を全部含む情報が認証構造情報である。
【００２０】
コンピューター接続装置120は、制御コンピューター110で設定された認証構造情報を、媒介体デバイス130、及び多数のキー142、144、146に伝達する役割を行う。このために、コンピューター接続装置120は、制御コンピューター110と媒介体デバイス130、及び多数のキー142、144、146を連結する構造を備えなければならず、この構造は、シリアルポート、USBポート、IEEE 1394ポート、キー挿入スロット、キー接触部などの形態で構成されることができる。ここで、シリアルポート、USBポート、IEEE 1394ポートなどを用い、ケーブルを介して直接連結されるためには、媒介体デバイス130、及び多数のキー142、144、146が、各ポートに該当する接続部を備えなければならない。その反面、キー挿入スロットやキー接触部などの形態で構成される場合には、媒介体デバイス130、及び多数のキー142、144、146が別途の接続部を備える必要なく、挿入や接触を通じて認証構造情報の伝達を受ける。
【００２１】
以下の説明において、コンピューター接続装置120は、キー挿入スロット122を備え、媒介体デバイス130、及び多数のキー142、144、146の挿入を通じて、制御コンピューター110で設定された認証構造情報を伝達するコンピューター接続装置120に限定して説明する。
【００２２】
媒介体デバイス130は、コンピューター接続装置120に連結され認証構造情報の伝達を受けるデータ送受信部132と、伝達された認証構造情報を貯蔵するデータ貯蔵部134から構成される。
【００２３】
データ送受信部132は、コンピューター接続装置120のキー挿入スロット122、及びデジタルロック150、162、164のキー挿入部152に挿入される部分であって、キー142、144、146と同一の形態を有している。
【００２４】
データ貯蔵部134は、制御コンピューター110から伝達される認証構造情報を貯蔵し、デジタルロック150、162、164からドアロック情報を抽出するための情報抽出ソフトウェア、及び認証構造情報をデジタルロック150、162、164に伝達するための認証構造伝達ソフトウェアを備えている。
【００２５】
即ち、媒介体デバイス130は、コンピューター接続装置120に連結されて、認証構造情報を受信し貯蔵しており、デジタルロック150、162、164に挿入されると、貯蔵された認証構造情報を各デジタルロック150、162、164に伝達する役割を行う。
【００２６】
図2は、認証構造情報の伝達のために、媒介体デバイスをデジタルロックに挿入する図である。
【００２７】
デジタルロック150は、ドアに装着された後は、分離、及び移動し難いため、本発明により制御コンピューター110から認証構造情報の伝達を受けるためには媒介体デバイス130を用いるのが望ましい。
【００２８】
データ貯蔵部134に認証構造情報を貯蔵している媒介体デバイス130が、図2のように、デジタルロック150のキー挿入部152に挿入されると、データ貯蔵部134は認証構造伝達ソフトウェアを駆動して、認証構造情報をデジタルロック150に伝送する。認証構造情報を受信したデジタルロック150は、自分に割り当てられた認証構造を用いて認証設定作業を行う。
【００２９】
この際、媒介体デバイス130に、認証構造情報をデジタルロック150に伝送するための認証構造伝達ソフトウェアを備えず、デジタルロック150に媒介体デバイス130が挿入されても、自動で認証構造情報を受信する認証構造伝達ソフトウェアが備えられるように設定することも可能である。又、デジタルロック150で認証構造情報を受信することにおいて、マッピングされた認証構造が全て含まれた認証構造情報全体を受信することもできるが、当該デジタルロック150の認証構造だけを抽出して受信し、貯蔵するように設定することも可能である。
【００３０】
また、デジタルロック150が設置され運用される時、デジタルロック150に認証を要請したキーの情報、認証の成否、認証が行われてデジタルロック150の出入に使用されたキー情報、出入日、及び時間などの作動内訳が、出入情報として内部メモリに貯蔵されるように設定し、媒介体デバイス130をデジタルロック150に挿入して、貯蔵された出入情報を制御コンピューター110に伝送し、制御コンピューター110を通じて出入情報を確認、及び管理するように設定することも可能である。
【００３１】
この際、デジタルロック150にのみ出入情報を貯蔵するのではなく、キー142、144、146の内部メモリーに、各々のキー142、144、146が認証を要請したデジタルロックの情報、認証要請に対する承認の可否、承認日及び時間などの出入情報を貯蔵するように設定することも可能である。この際、制御コンピューター110を通じた出入情報確認は、コンピューター接続装置120とキー142、144、146の直接的な連結を通じて行われる。
【００３２】
図3は、認証設定を完了したデジタルロックとキーとの間にマッピングされた認証構造を説明するための図である。
【００３３】
図3では、3つのキー142、144、146(夫々、‘aキー’、‘bキー’、‘cキー’という) と、3つのデジタルロック150、162、164 (夫々、‘Aドアロック’、‘Bドアロック’、‘Cドアロック’という)との間に認証構造が設定されている。
【００３４】
即ち、aキー142はAドアロック150と一対一マッチングされているため、aキー142を用いると、Aドアロック150だけ解錠させることができ、Bドアロック162やCドアロック164の解錠はできない。そして、bキー144はAドアロック150及びBドアロック162と一対二でマッチングされているため、Aドアロック150及びBドアロック162の解錠ができる。
【００３５】
そして、cキー146は一種のマスターキーであって、設置されている全てのデジタルロック(‘Aドアロック’、‘Bドアロック’、‘Cドアロック’)とマッチングされている。従って、cキー156を用いると、全てのドアロックを解錠させることができる。
【００３６】
ここで、図1乃至3を説明することにおいて、キーとデジタルロックをカードキーとキー挿入部の形態に限って説明したが、ボタン式キーや接触式カードキーとキー接触部の形態に具現するか、使用者の指紋及び指紋スキャナーの形態に具現することも可能である。また、数字キー入力式デジタルロックを使用し、各使用者別に暗証番号を異にして設定するなど、多様なデジタルロックで本発明を具現することも可能である。
【００３７】
又、図1乃至3において、キーに認証設定のための認証構造情報を貯蔵させることを基準として説明したが、キーには認証構造情報を貯蔵せず、制御コンピューター110に搭載されたソフトウェアを通じてキーの情報を認識した後、デジタルロックで認証設定のための認証構造情報及びキーの情報を伝送する方法、即ち、キーは認証構造情報を含まず、デジタルロックでキーの情報を確認し、認証構造を確認するように設定することも可能である。
【００３８】
図4は、本発明の一実施例による制御コンピューターを用いたキーとデジタルロック管理方法を説明するためのフローチャートである。
【００３９】
まず、制御コンピューター110に、各デジタルロック150、162、164、及び各キー142、144、146を予め登録する。この際、キー142、144、146の登録においては、コンピューター接続装置120にキー142、144、146を連結させ、情報を抽出して登録を行い、デジタルロック150、162、164を登録する方法は、媒介体デバイス130を用いてデジタルロック150、162、164情報を抽出した後、コンピューター接続装置120を通じて登録を行う。
【００４０】
又は、デジタルロックやキーから情報を抽出せず、使用者が直接、制御コンピューター110のキーボード、バーコードスキャナー、マウスなどの入力装置を用いてデジタルロックやキーを登録することも可能である。
【００４１】
ここで、デジタルロックやキーから抽出される情報は、内蔵されているデジタルチップのID、一連番号などであって、制御コンピューター110を通じて登録過程を行うことにおいて、デジタルロックとキーの区別方法は、IDを用いる方法以外に、識別のための名前を別途付与するか、デジタルロックとキーに対する詳細説明を別途添加し、管理の効率性を高めることも可能である(S210)。
【００４２】
全てのデジタルロックとキーが制御コンピューター110に登録されると、制御コンピューター110は、内蔵されたソフトウェアを用いてデジタルロックとキーとの認証条件による認証構造を設定する(S220)。ここで認証構造設定とは、各キーにより解錠可能なデジタルロックを1つまたは多数設定することを意味し、認証条件とは、キーの解錠可能時間、つまり、特定期間、特定曜日、特定時間に認可されるか否かを意味する。
【００４３】
認証構造設定が完了すると、多数のキー及び媒介体デバイス130を制御コンピューター110に連結されたコンピューター接続装置120を用いて、多数のキー及び媒介体デバイス130に認証構造情報を貯蔵させる。この際、媒介体デバイス130ではデータ貯蔵部134に認証構造情報が貯蔵される(S230)。
【００４４】
媒介体デバイス130に認証構造情報が貯蔵されると、媒介体デバイス130をデジタルロックのキー挿入部152に挿入して、デジタルロックに認証構造情報を伝達する(S240)。
【００４５】
ここで、S230乃至S240において、キー及びデジタルロックに全てのキーと全てのデジタルロックの認証構造情報が提供されることもでき、当該キーや当該デジタルロックの認証構造だけが抽出され、提供されることもできる。
【００４６】
キーとデジタルロックに認証構造が貯蔵されると、各キーを使用者に分配し、各デジタルロックを当該地域に設置する。設置が完了すると、デジタルロックとキーに貯蔵された認証構造によってシステムが運用される(S250)。
【００４７】
システム運用の途中で、特定使用者の権利変更などによってキーとデジタルロックとの間の認証構造が変更されたり、特定使用者がキーを紛失したり、キーやデジタルロックの新規追加などによるキーとデジタルロックとの間の登録事項が変更されたりするイベントが発生したかを随時確認して(S260)、イベントが発生した場合、発生されたイベントによって登録事項を変更する。各事項による登録事項変更の方法に対しては、図5を用いて詳細に説明する。
【００４８】
図5は、本発明の一実施例により、キーとデジタルロックの登録事項変更時の登録事項変更の方法を説明するためのフローチャートである。
【００４９】
通常的に発生するイベントは、キー紛失、キーやデジタルロックの追加、キーとデジタルロックとの間の認証構造変更などである。従って、本発明では、代表的に発生するこの3つの場合に対してのみ説明する。
【００５０】
S260において、イベント発生により登録事項が変更されたことを認知すると、制御コンピューター110では、キー紛失、キーやデジタルロックの追加、キーとデジタルロックとの間の認証構造変更の3つのイベントのうち何のイベントが発生したかを判断する(S300)。
【００５１】
判断の結果、キー紛失によるイベント発生であれば、制御コンピューター110が紛失されたキー情報を削除し(S310)、紛失されたキーの情報を削除する命令が含まれたキー情報削除プログラムをコンピューター接続装置120を通じて媒介体デバイス130のデータ貯蔵部134に貯蔵する。ここで、キー情報削除プログラムを媒介体デバイス130に伝送せず、紛失されたキーの認証構造情報が削除された新しい認証構造情報を搭載させることも可能である。
【００５２】
媒介体デバイス130にキー情報削除プログラムや、新しい認証構造情報が搭載されると、運営者は媒介体デバイス130を各デジタルロック150に挿入させる。デジタルロック150では、媒介体デバイス130のキー情報削除プログラムにより、貯蔵されていた認証構造情報の中から、紛失されたキーと関連した認証構造部分を削除する。この際、キー情報削除プログラムではない、新しい認証構造情報が媒介体デバイス130に搭載されている場合には、デジタルロック150に搭載されていた従来の認証構造情報を新しい認証構造情報に代替する(S312)。
【００５３】
そして、S300において発生したイベントを判断した結果、キーやデジタルロックが新たに追加されるイベントであれば、まず、新たに追加されるキーとデジタルロックの情報を、コンピューター接続装置120を用いて制御コンピューター100に登録する。この際、新たに追加される媒体がデジタルロックである場合は、媒介体デバイス130を追加で用いてデジタルロックの情報を抽出した後、再びコンピューター接続装置120を通じて制御コンピューター110に登録する過程を経るのが望ましい。
【００５４】
制御コンピューター110は、キー又はデジタルロックからID、一連番号などを登録し、追加されるキー又はデジタルロックに対する認証構造を設定する(S320)。
【００５５】
認証構造の設定が完了すると、制御コンピューター110は認証構造情報をコンピューター接続装置120を通じてキーやデジタルロックに伝達しなければならない。
【００５６】
この際、新たに追加されたデバイスがキーである場合、従来設置されていたデジタルロックの認証構造を変更しなければならなく、新たに追加されるデバイスがデジタルロックである場合は、新たに追加されるデジタルロックの認証構造を変更しなければならない。このために、新たに追加されるデバイスがキーであるかデジタルロックであるかを判断する(S322)。
【００５７】
新たに追加されたデバイスがデジタルロックである場合は、媒介体デバイス130を用いて、追加されるデジタルロックに、S320を通じて設定された認証構造情報を伝達する。新たに追加されたデジタルロックは、媒介体デバイス(130)を通じて伝達される認証構造情報を貯蔵する(S324)。新たなデジタルロックに認証構造情報が伝達され貯蔵されると、デジタルロックを設置して運用する(S326)。
【００５８】
しかし、S322において新たに追加されたデバイスがキーである場合は、制御コンピューター110は、コンピューター接続装置120を通じて媒介体デバイス130に変更された認証構造情報を貯蔵し、追加されたキーの接近を許容するデジタルロックに搭載されている認証構造情報を変更させる(S328)。この際、全てのデジタルロックの認証構造情報を変更させることも可能である。
【００５９】
ここで必要に応じては、追加されるキーをコンピューター接続装置120に連結させ、キーにも認証構造情報を貯蔵することが可能である。
【００６０】
そして、S300において発生したイベントを判断した結果、キーとデジタルロックとの間の認証構造が変更されるイベントであれば、制御コンピューター110では、キーとデジタルロックとの間の認証構造が変更された認証構造情報を生成する(S330)。
【００６１】
制御コンピューター110を通じて新たな認証構造情報が生成されると、コンピューター接続装置120を通じて媒介体デバイス130に、新たに生成された認証構造情報を搭載する(S332)。ここで各キーとデジタルロックに、夫々必要な認証情報だけを抽出して搭載するように設定することも可能である。
【００６２】
媒介体デバイス130に認証構造情報の搭載が完了すると、認証構造が変更されたデジタルロックに媒介体デバイス130を挿入または接触させ、当該デジタルロックに搭載された認証構造情報を更新する。
【００６３】
ここで、認証構造が変更されたデジタルロックだけでなく、全てのデジタルロックに搭載された認証構造情報を変更することもできる。
【００６４】
以上の図1乃至図5の説明において、デジタルロックは出入口に装着されるデジタルロックに限定して説明したが、本発明の実施において、デジタルロックは金庫、机の引き出し、ファイル保管庫などの多様な所に装着及び使用することができる。
【００６５】
又、上記図1を説明する過程で言及したように、本発明の説明において、コンピューター接続装置は、キー挿入スロットを含めて挿入スロットを通じて認証構造情報、及び出入情報を送受信するコンピューター接続装置に限定したが、制御コンピューターとキー、媒介体デバイス又はデジタルロックを直接連結するケーブルで本発明を構成することも可能である。
【００６６】
以上の説明は本発明の技術思想を例示的に説明したものに過ぎなく、本発明の属する技術分野で通常の知識を有する者なら、本発明の本質的な特性から逸脱しない範囲で多様な修正、及び変更をすることが可能である。従って、本発明に開示された実施例は、本発明の技術思想を限定するためではなく説明するためのものであって、このような実施例によって本発明の技術思想の範囲が限定されるのではない。本発明の保護範囲は請求範囲によって解釈されるべきであり、それと同等な範囲内にあるあらゆる技術思想は、本発明の権利範囲に含まれるものとして解釈すべきである。
【産業上の利用可能性】
【００６７】
以上で説明したように、本発明によると、制御コンピューターに搭載されたソフトウェアを用いてキーやデジタルロックの認証構造を設定管理し、キー紛失、キーやデジタルロックの追加、キーとロックのマッピング構造変更といったイベントを管理することによって、多数のデジタルロックと多数のキーが使用される所で容易に認証設定を変更することができ、イベント発生による素早い措置が可能である。又、デジタルロックとキーに、出入内訳、及び作動内訳などの認証情報を貯蔵するように設定することも可能であり、制御コンピューターを通じて出入者情報を確認、及び管理することによって、デジタルロックの本来の目的である保安性を向上させることができる。
【００６８】
また、本発明によって、イベント発生によるデジタルロックの認証情報設定時、使用者のキーの必要がなくなり、従来、認証情報設定のために関連したキーを備えた使用者が皆集まらなければならない不便さが解消される。
【図面の簡単な説明】
【００６９】
【図１】本発明の一実施例による制御コンピューターを用いたキーとデジタルロック管理システムを概略的に示した図
【図２】本発明の一実施例による制御コンピューターを用いたキーとデジタルロック管理システムを概略的に示した図
【図３】本発明の一実施例による制御コンピューターを用いたキーとデジタルロック管理システムを概略的に示した図
【図４】本発明の一実施例による制御コンピューターを用いたキーとデジタルロック管理方法を説明するためのフローチャートである。
【図５】本発明の一実施例によりキーとデジタルロックの登録事項を変更する際に登録事項の変更方法を説明するためのフローチャートである。
【図１】
2008527212.tif 000002
【図２】
2008527212.tif 000003
【図３】
2008527212.tif 000004
【図４】
2008527212.tif 000005
【図５】
2008527212.tif 000006
【国際調査報告】
2008527212.tif 000007
2008527212.tif 000008
2008527212.tif 000009